(57)【要約】      （修正有）【課題】絵画などの額や時計、陶器などの器材をかけても、大きな地震時の振動でも抜けにくく、重たい器材の場合は針の数を増やして、いろいろと針の配置をして重量増に対応し、器材の移動、変更、取り止めの時にも、補修やクロス貼りの工事はしなくてよい折れ針先の注射針型、機材取付け具を提供する。【解決手段】針１の先端の中央部分を折り曲げてＶ字状３にして、更に、針の先端付近の径に、先端に向かって斜めに切りキズを数個所入れた注射針状の針と、接着剤を入れる穴１１とヒモをかけるプラスチック製のフック１０をつけた板面９で一体化した、折れ針先の注射針型、器材取付け器具であり、最初に同じ太さの下穴用の針でつくった穴に針先を入れて、スポイト式の注入容器で接着剤を入れる穴に入れて、折れ針先の穴、及び切りキズの割れ目より接着剤を出して固める器具であることを特徴とする。【選択図】図２
0003195291.tif 000002
【実用新案登録請求の範囲】
【請求項１】
注射針状の針の先端の穴（２）の中央部分を折り曲げてＶ字状（３）にした穴と先端付近の針の径に、先端に向かって斜めの切りキズの割れ目（４）を数個所入れた針と、プラスチック製の壁に当てる板面（９）と器材をかけるフック（１０）を備えた注射針式、折れ針先とプラスチック製の器材取付け器具であって、プラスチック製の板面（９）の中央付近に注射針型の針の接着剤注入用の穴（１１）を設け、最初に同じ太さと長い目の下穴用の針（１５）であけることを特徴とする注射針式、折れ針先とプラスチック製の器材取付け器具。
【考案の詳細な説明】
【技術分野】
【０００１】  石膏ボードの壁下地でクロス貼りへの器材の取付け用の器具に関するものである。
【背景技術】
【０００２】  石膏ボードの壁下地でクロス貼りへの器材の取付け器具は存在する。
【先行技術】
【０００３】  石膏ボードは石膏を固めてつくったボード板のためにネジやクギがききにくいという欠点をもつ、そのために次のような器具がある。
▲１▼  石膏ボードへピン針で打つ、石膏画鋲。フック本体と１〜数本のピン針で構成して、そのピン針はまっすぐ、または交差さしたピン針で抜けにくくしている。  ピン針を横へ２〜５本にしたり、四角形、又は五角形状に配置することにより、より重い器材に使用する。
▲２▼  カールを石膏ボードにねじ込んでカールの中の穴へネジを入れる器具。
▲３▼  キリ付きのボードアンカーをねじこんでおき、その中へビスの太さ３〜６ｍｍのビスを入れると、ボードアンカーの先端が開いて抜けにくくなる器具。鉄製、アルミ製、プラスチック製のアンカーがある。  石膏ボード、９〜１２、５ｍｍなどに使用する。
▲４▼  キリで石膏ボードに下穴を開けておき、アンカーとともにビスを下穴に押し込んでビスを締め付けるとアンカーの先端が開き、抜けにくくなる器具。
▲５▼  ロンスタッピング
ビスの先端がふたまたの二重になっており、ビスをまわしてねじ込むと先端の二重の先が開く器具。
▲６▼  スイングフック
フック付きの板面の裏側に粘着さす接着剤、たとえば両面テープなど貼っておき、石膏ボードやクロスの壁面に接着さす器具。
カレンダーなどの軽い器材に使用する。  ただ、取り外す時には接着剤がクロスなどの表面に残る欠点がある。
【考案の概要】
【０００４】  いろいろな大きさ、形、厚み、材質でつくった、器材を引っかけるプラスチック製のフック付きの板面に注射針状で、針先の穴の真ん中あたりをＶ字に折って、曲げた針先を差し込んで固定して、石膏ボードのクロス面に打ち込む器材取付け器具であり、注射針状の細い円形の穴に接着剤を注入することにより、ピン先の穴、及び針の径にあけたキヅ穴から接着剤が出て、石膏ボードにかためる。接着剤の効用によりフック付きの板面が安定し、ぐらつきが少なくなり、大きな地震時の振動にも抜けにくくなる。また、額などの器材の移動、取り止めのときは壁にあてたプラスチック製のフック付きの板面をアンギラスやペンチなどで挟んで砕くことにより、板面を取り除き、残った針はペンチやクリッパーなどで切断をして、ほとんど目立たないピンあとのみが残る、注射針式、折れ針先とプラスチック製の器材取付け器具。
【考案が解決しようとする課題】
【０００５】  家の中の居間、食堂、寝室、廊下、子供部屋などの壁は防火性の強さとコスト安のために、石膏ボードとクロス貼りが一般的である。その壁に絵画、写真などの額や時計、陶器などの器材を掛けようとする時はクギやビスなどを入れて引っかけをつくらねばならないが、石膏ボードの中の層は粗いので釘やビスがきかず、固定できずにすぐに抜けるという欠点がある。近年、いろいろなビスを入れるとアンカーの先端が開いて抜けにくい器具が発売されているが、額などの器材を移動したり、取り止めたりする時はビスやアンカーの穴のあとが開いてしまって、コーキング補修やクロスの貼り換えをしなければならない。また、１〜５個の針状のピンを差し込んで重たい額などの器材を支える器具もあるが、大きな地震時の振動で抜けて落ち、床のフロアーや額や高価な絵画や陶器、時計を傷つける。
【課題を解決するための手段】
【０００６】  本考案は注射針状で先端の穴の真ん中あたりを折り曲げてＶ字状につくり、また、針先付近の径に針先に向かって斜めにキズの切れ目を数個所いれた針であり、いろいろな形、寸法、厚みのプラスチック製で造った、壁面に当てるフック付きの板面と接着剤で構成する。フック付きの板面の真ん中付近には、接着剤を注入するために針の円型の端を固定しておき、注射針のように中を空洞にした針に接合して、接着剤を注入することにより、折れ針先の穴と針先付近の斜めに入れたキズの割れ目より接着剤が出て石膏ボードにかためる。本考案と同じ太さで、大き目の長さで穴の開いていない針を１本用意して、はじめに石膏ボードに入れて、下穴をあける。これは石膏ボードの粉が穴に入ることを防ぐのと接着剤が穴から出る空間を確保するためである。また、額などの器材を移動、変更、取り止めの時にはプラスチック製のフック付きの板面をアンギラスやペンチなどで強く挟んで砕き、取り除き、残った針はクリッパーなどで切断することにより、ほとんど目立たない針あとのみが残る。重たい器材の場合は針の数を増やすことで解決する。
【考案の効果】
【０００７】  本考案は次のような効果がある。
▲１▼、注射針状の折れ針先の穴と針先付近につけたキズの切れ目から接着剤が出て、石膏ボードと針を固めることにより、壁に当てるフック付きの板面のぐらつきが少なくなり、大きな地震の時でも額や時計などの器材が落ちたりして、床板や高価な絵画、陶器、時計などを傷つけることがすくなくなる。
▲２▼、重たい器材をかける場合でも針の数を増やすことにより、ぐらつきが安定して重量増も可能となる。
▲３▼、額などの器材の移動、変更、取り止めの時も針穴が小さくネジ穴よりも目立たないので、補修せずに自由に付け替えが可能となる。
▲４▼、針を差し込み、接着剤を注入するだけという操作で簡単である。
【図面の簡単な説明】
【０００８】
【図１】  正面図
【図２】  側面図
【図３】  上からの図
【図４】  斜め図
【図５】  穴をあけていない下穴用の針  ▲１▼正面図  ▲２▼側面図  左  右  ▲３▼上からの図
【図６】  石膏ボードに本考案を入れた図
【図７】  石膏ボードに接着剤を入れた図
【図８】  ▲１▼壁に当てる板面をアンギラスで挟んだ図  ▲２▼壁に当てる板面をアンギラスで砕いた図  ▲３▼壁から出ている針をニッパーで挟んだ図
【図９】  ▲１▼針の先端図  ▲２▼針先付近の径のキズの割れ目
【図１０】  スポイト式の接着剤の注入容器  ▲１▼正面図  ▲２▼側面図  左  右  ▲３▼上からの図
【図１１】  ４個の針の配置の場合
【図１２】  ５個の針の配置の場合
【符号の説明】
【０００９】▲１▼  針
▲２▼  先端の穴
▲３▼  折れて曲げた部分
▲４▼  斜めのキズの割れ目
▲５▼  接着剤
▲６▼  スポイト式の接着剤の容器
▲７▼  石膏ボード
▲８▼  クロス
▲９▼  壁に当てる板面
▲１０▼  器材をかけるフック
▲１１▼  接着剤を入れる穴
▲１２▼  アンギラス、ペンチ
▲１３▼  ニッパー、ペンチ
▲１４▼  指
▲１５▼  穴をあけていない下穴用の針
▲１６▼  下針用の針を固定して、指で持って壁に当てる部分
【考案を実施するための形態】
【００１０】  次の順で実施する。
▲１▼、器材をかける位置とヒモなどの寸法を決めて、穴の位置をきめる。
▲２▼、決めた穴の位置に下穴用の針を差し込んで穴をつくる。
▲３▼、本考案の針をその穴に差し込む。
▲４▼、フック付きの壁に当てた板面の中央部の針穴より接着剤を注入する。
▲５▼、接着剤の硬化スピードで時間は異なるが接着剤が固まるまで待つ。
▲６▼、接着剤が固まったら、額などの器材をヒモや鎖などでフックにつるす。
▲７▼、額などの器材を変更、移動、取り止めの時は壁に当てたフック付きの板面をアンギラスなどで挟んで砕いて、残った針をニッパーなどで切断する。
▲８▼、クロス面に残った針をほとんど目立たなくなるように、やさしくたたく。
【産業上の利用可能性】
【００１１】  近年、建物の内部の壁面は耐火性とコスト安のために石膏ボードとクロスを貼る場合が多い。その壁にいろいろな絵画、写真、時計、陶器などの器材をかける場合は振動時に落ちないように、アンカーの先端が開いて固定する器具を使用するが、器材を移動したり取り止めたりする場合はアンカーやビスの穴が大きく目立つために、補修やクロスの貼り換えが必要となる。本考案は細い針あとだけが残るために補修やクロス工事をする必要がなくなり、経済的にも助かり、また地震時などの振動の時にも、器材が落ちて床のフロアー、時計、陶器、高価な絵画や額を傷つけることのない安心した快適生活を送ることができる。
【図１】
0003195291.tif 000003
【図２】
0003195291.tif 000004
【図３】
0003195291.tif 000005
【図４】
0003195291.tif 000006
【図５】
0003195291.tif 000007
【図６】
0003195291.tif 000008
【図７】
0003195291.tif 000009
【図８】
0003195291.tif 000010
【図９】
0003195291.tif 000011
【図１０】
0003195291.tif 000012
【図１１】
0003195291.tif 000013
【図１２】
0003195291.tif 000014
【手続補正書】
【提出日】平成26年10月15日(2014.10.15)
【手続補正１】
【補正対象書類名】実用新案登録請求の範囲
【補正対象項目名】全文
【補正方法】変更
【補正の内容】
【実用新案登録請求の範囲】
【請求項１】
針の先端の穴の中央部分を折り曲げてＶ字状（３）にして、更に、針の先端付近の径に、先端に向かって斜めに切りキズ（４）を数個所入れた注射針状の針と、接着剤を入れる穴（１１）とヒモをかけるプラスチック製のフック（１０）をつけた板面（９）で一体化した、折れ針先の注射針型、器材取付け器具であり、最初に同じ太さの下穴用の針（１５）でつくった穴に針先を入れて、スポイト式の注入容器（６）で接着剤を入れる穴に入れて、折れ針先の穴、及び切りキズの割れ目（４）より接着剤を出して固める器具であることを特徴とする、折れ針先の注射針型、器材取付け器具。